(57)【要約】【課題】マイナスイオン発生量の低下時期を報知する安価な洗面所空調機を提供することを目的とする。【解決手段】マイナスイオン発生部３３が運転開始すると、記憶部５０のマイナスイオン発生部３３の運転時間が積算される。記憶部５０の積算時間がマイナスイオン発生量低下時期に達すると、マイナスイオン発生部３３の出力を増加させる。記憶部５０の積算時間がマイナスイオン発生部３３の放電針３５の塵埃付着清掃時期及び、放電針３５摩耗による交換時期をリモコン４１により報知する。【選択図】　図５
2004108706.tif 000002
【特許請求の範囲】
【請求項１】
洗面所の空気を吸込み、洗面所に温風として供給する温風循環部と、前記循環部の動作をコントロールする制御部と、放電針を有するマイナスイオン発生部を前記循環部に備えた洗面所空調機において、前記制御部は前記マイナスイオン発生部の放電針への通電時間を積算し、報知部にて放電針の摩耗による交換時期を報知させることを特徴とする洗面所空調機。
【請求項２】
洗面所の空気を吸込み、洗面所に温風として供給する温風循環部と、前記循環部の動作をコントロールする制御部と、放電針を有するマイナスイオン発生部を前記循環部に備えた洗面所空調機において、前記制御部は前記マイナスイオン発生部の放電針への通電時間を積算し、報知部にて放電針の塵埃付着の清掃時期を報知させることを特徴とする洗面所空調機。
【請求項３】
洗面所の空気を吸込み、洗面所に温風として供給する温風循環部と、前記循環部の動作をコントロールする制御部と、放電針を有するマイナスイオン発生部を前記循環部に備えた洗面所空調機において、前記制御部は前記マイナスイオン発生部の放電針への通電時間を積算して、報知部にて放電針の摩耗による交換時期および塵埃付着による清掃時期を報知させることを特徴とする洗面所空調機。
【請求項４】
前記制御部は、マイナスイオン発生部からマイナスイオンを発生させるための供給電力を段階的に増加させることを特徴とする請求項１乃至請求項３記載のいずれかに洗面所空調機。
【請求項５】
前記報知部で報知される前記マイナスイオン発生部の放電針の摩耗による交換時期および、塵埃付着による清掃時期の設定を変更可能としたことを特徴とする請求項２乃至４記載の洗面所空調機。
【発明の詳細な説明】
【０００１】
【発明の属する技術分野】
本発明は、マイナスイオンを発生するマイナスイオン発生部を備えた洗面所空調機に関する。
【０００２】
【従来の技術】
従来のマイナスイオン発生部を備えた空調機では、マイナスイオン発生部は高圧発生回路に先尖状のアルミ板や針からなる放電電極を備えており、イオンセンサを使用することによりマイナスイオン発生量を検知し表示させ、使用者により放電電極からのマイナスイオン発生量を調節可能とさせたり、発生量が極端に多かったり、少なかったりした場合に異常の表示をさせたりして、高圧のコイルやその他の部品が破壊されることを最小限とする目的のものがある（例えば、特許文献１参照。）。
【０００３】
【特許文献１】
特開平１１−８０４４号公報
【０００４】
【課題を解決しようとする課題】
従来方式ではマイナスイオン発生量は表示されるものの、前記先尖状のアルミ板や針の摩耗や塵埃付着によるマイナスイオンの発生量の低下に関する配慮がされていなかった。また、イオンセンサを使用するためコストが高くなるという問題があった。
【０００５】
本発明は、上記課題を解決するためになされたもので、イオンセンサなどを使用することなく、放電針の摩耗による交換時期および塵埃付着による清掃時期を報知させることにより、マイナスイオンの発生量の低下を使用者に知らしめることを目的としている。
また、マイナスイオン発生量が低下した場合には、マイナスイオン発生量を増加させて常に一定量のマイナスイオン発生量を維持させることを目的としている。
【０００６】
【課題を解決するための手段及びその作用・効果】
上記目的を達成するために、本発明においては、洗面所の空気を吸込み、洗面所に温風として供給する温風循環部と、前記循環部の動作をコントロールする制御部と、放電針を有するマイナスイオン発生部を循環部に備えた洗面所空調機において、制御部はマイナスイオン発生部の放電針への通電時間を積算し、報知部にて放電針の摩耗による交換時期を報知させるようにした。
【０００７】
これにより、マイナスイオンの発生量の低下したことを確認できると共に、放電針の摩耗による放電針の交換が容易に知ることができ、放電針の交換をすることにより、マイナスイオン発生が急停止することなく常に快適なマイナスイオンを得ることができる。
【０００８】
また、洗面所の空気を吸込み、洗面所に温風として供給する温風循環部と、前記循環部の動作をコントロールする制御部と、放電針を有するマイナスイオン発生部を前記循環部に備えた洗面所空調機において、前記制御部は前記マイナスイオン発生部の放電針への通電時間を積算し、報知部にて放電針の塵埃付着の清掃時期を報知させるようにした。
【０００９】
これにより、マイナスイオンの発生量の低下したことを確認できると共に、塵埃付着の清掃時期を容易に知ることができ、清掃を施すことにより、低下したマイナスイオンの発生量を回復および交換時期を延長させることができる。
【００１０】
また、洗面所の空気を吸込み、洗面所に温風として供給する温風循環部と、前記循環部の動作をコントロールする制御部と、放電針を有するマイナスイオン発生部を前記循環部に備えた洗面所空調機において、前記制御部は前記マイナスイオン発生部の放電針への通電時間を積算して、報知部にて放電針の摩耗による交換時期および塵埃付着による清掃時期を報知させるようにした。
【００１１】
これにより、マイナスイオンの発生量の低下したことを確認できると共に、放電針の摩耗による放電針の交換が容易に知ることができ、放電針の交換をすることにより、マイナスイオン発生が急停止することなく常に快適なマイナスイオンを得ることができる。また、塵埃付着の清掃時期を容易に知ることができ、清掃を施すことにより、低下したマイナスイオンの発生量を回復させることができる。
【００１２】
また、制御部は、マイナスイオン発生部からマイナスイオンを発生させるための供給電力を段階的に増加させる。
【００１３】
これにより、耐久年数（交換時期）が少なくなった場合でも、常に一定のマイナスイオン発生量を得ることができる。
【００１４】
また、報知部で報知される前記マイナスイオン発生部の放電針の摩耗による交換時期および、塵埃付着による清掃時期の設定を変更可能とした。
【００１５】
これにより、放電針の摩耗および塵埃付着状況を確認した後、報知時期の延長または短縮を選定することができる。
【００１６】
【発明の実施の形態】
以下に本発明の実施の形態を図面に基づいて説明する。
図１は、本発明の一実施形態に係わる空調システムの概略図である。
本発明の洗面所空調機１は、浴室Ａと隣接する洗面所Ｂの境界にある壁Ｄの浴室ドアＣの上部に設置されている。また、洗面所Ｂには洗面所空調機１を遠隔操作するリモコン４１が設置されている。
【００１７】
図２は、本発明における洗面所空調機の一実施例を示す図である。
洗面所空調機１は主に本体グリル３と本体ケーシング５とで構成されている。
本体グリル３全面には洗面所Ｂ内の空気を吸込むための吸込口１１及び吸込口から吸込んだ空気を再び洗面所Ｂ内に吹出すための吹出口７が設けられている。
更に、吹出口７には吹出し方向を左右上下に可変するための可変手段としてのルーバー１７を備えている。このルーバー１７は、手動で吹出方向を可変できる構成としてもよい。
【００１８】
図３は、本発明における洗面所空調機の内部構造を示す図である。
全面を開口した箱型の本体ケーシング５は、壁に固定するための固定用穴１９が両端に複数個設けられ、固定用穴１９にネジを通して洗面所の壁に固定する。
【００１９】
また、本体ケーシング５内部には、送風手段としての循環用ファン１３、循環用ファン１３を回転させるための循環用モータ１５、加熱手段としてのヒータ３７、吸込口１１から吸込んだ空気の流路としての風路２１とで構成される温風循環部２３を備える。また、温風循環部２３の下流側端部吹出口７には吹出方向を可変するルーバー１７が備えられ、吹出方向を自在に可変することが可能である。
【００２０】
また制御部３１は、循環モータ１５、ヒータ３７、マイナスイオン発生部３３、記憶部５０と電気的に接続され、運転に応じて各々を制御する。
【００２１】
具体的には、暖房運転開始司令によって制御部３１は循環モータ１５の動作を開始させて循環ファン１３を駆動させ、吸込口１１から洗面所内の空気が吸いこまれる。次に所定時間を経過後ヒータに通電すると、風路２１内の空気はヒータ３７で加熱され、温風として吹出口７から洗面所内に供給される。その際、ヒータ３７で加熱された空気はマイナスイオン発生部３３よりマイナスイオンが与えられる。マイナスイオン発生部３３の運転時間は記憶部５０で積算される。送風運転開始命令の場合は、制御３１はヒータ３７への通電を行わない以外は暖房運転の場合と同様の制御を行う。
【００２２】
図４は、本発明における洗面所空調機の制御ブロック図である。
制御部３１は循環モータ１５、ヒータ３７、マイナスイオン発生部３３、リモコン４１、記憶部５０と接続されている。
【００２３】
本発明による洗面所空調機は、主に洗面所Ｂを温めるための暖房モードと、洗面所Ｂ内の空気を洗面所空調機１前面から吸込み再び洗面所Ｂ内に供給する送風モードを備える。リモコン４１の操作により、暖房モードの指示が制御部３１にくると制御部３１は循環用モータ１５、ヒータ３７、マイナスイオン発生部３３に動作信号を送る。
【００２４】
制御部３１は、マイナスイオン発生部３３が運転を開始すると、マイナスイオン発生部３３の運転開始信号を記憶部５０へ送り、記憶部５０がマイナスイオン発生部３３の運転時間を積算していく。マイナスイオン発生部３３の運転が停止すると、制御部３１はマイナスイオン発生部３３の運転停止信号を記憶部送る。この時記憶部５０は積算時間を記憶した状態で停止する。再びマイナスイオン発生部３３の運転が開始されると、制御部３１はマイナスイオン発生部３３の運転開始信号を記憶部５０へ送る。記憶部５０はすでに記憶しているマイナスイオン発生部３３の運転積算時間にマイナスイオン発生部３３の運転時間を積算していく。
【００２５】
また、制御部３１は、予め記憶した報知時間に記憶部５０のマイナスイオン発生部３３の積算時間が達すると、リモコン４１に信号を送り、リモコン４１から報知する。
リモコン４１の報知手段は、マイナスイオンＬＥＤランプ５１を点灯又は点滅し報知する。または音を発生させて報知するものでもよい。
【００２６】
図５は本発明における制御手段を示すフローチャート図である。
マイナスイオン発生部３３が運転開始すると、記憶部５０のマイナスイオン発生部３３の運転時間が積算される。
記憶部５０の積算時間が２０００時間（ａ）に達するとマイナスイオン発生出力を増加させる。更に放電針３５の清掃時期を報知する。
さらに５０００時間（ｂ）に達するとマイナスイオン発生部３３の放電針３５交換時期を報知する。さらにマイナスイオン発生部３３の運転を停止する。
【００２７】
図６は本発明における制御手段を示すフローチャート図である。
マイナスイオン発生部３３が運転開始すると、記憶部５０のマイナスイオン発生部３３の運転時間が積算される。記憶部５０の積算時間が１５００時間（ｃ）に達すると、５００時間積算する毎（ｄ）にマイナスイオン発生部３３の出力を一定量ずつ増加させる。マイナスイオン発生部３３の積算時間が５０００時間（ｅ）に達するとマイナスイオン発生部３３の放電針３５交換時期を報知するとともに、マイナスイオン発生部３３の運転を停止する。
【００２８】
図７は本発明における操作部および報知部としての一実施形態を示す図である。
リモコン４１にはマイナスイオン発生部３３の開始をするためのスイッチを設け、使用者の好みに応じてマイナスイオンの有無を選択できる。更に、報知部を設置したことにより、マイナスイオン発生部３３の放電針３５清掃時期、及び放電針３５交換時期を、マイナスイオンＬＥＤランプ５１を点灯または、点滅することにより使用者へ報知するものである。
【００２９】
マイナスイオン発生部３３の放電針３５清掃時期と放電針３５交換時期は報知部４９の点灯及び点滅方法により区別してもよい。
【図面の簡単な説明】
【図１】本発明の一実施形態に係わる空調システムの概略図。
【図２】本発明における洗面所空調機の一実施例を示す図。
【図３】本発明における洗面所空調機の内部構造を示す図。
【図４】本発明における洗面所空調機の制御ブロック図。
【図５】本発明における制御手段を示すフローチャート図。
【図６】本発明における制御手段を示すフローチャート図。
【図７】本発明における操作部および報知部としての一実施形態を示す図。
【符号の説明】
Ａ…浴室
Ｂ…洗面所
Ｃ…浴室ドア
Ｄ…洗面所の壁
１…洗面所空調機
７…吹出口
１１…吸込口
１３…循環用ファン
１５…循環用モータ
２１…風路
２３…温風循環部
３１…制御部
３５…放電針
３７…ヒータ
４１…リモコン
４９…報知部
５０…記憶部
５１…マイナスイオＬＥＤンランプ
【図１】
2004108706.tif 000003
【図２】
2004108706.tif 000004
【図３】
2004108706.tif 000005
【図４】
2004108706.tif 000006
【図５】
2004108706.tif 000007
【図６】
2004108706.tif 000008
【図７】
2004108706.tif 000009